(57)【要約】【課題】  極薄型光学式指紋照合装置が搭載されたクレジットカード、キャッシュカード等の有価カードを提供する。【解決手段】  光源部１１１と、受光デバイス１１２と、導光部１１３とを備えたラインセンス式の指紋読み取り装置であって、導光部は、指紋情報を入力するライン状の指紋走査ストリップ１１３１と、指紋走査ストリップからの指紋検出用光を、前記指紋走査ストリップの走査面に平行な光路に変換するプリズム部１１３２と、プリズム部からの指紋検出用光を前記受光デバイスに出力する光出力面１１３３とを備え、光源部１１１は、指紋検出用光を指紋走査ストリップに向けて放出する。【選択図】      図１
2005209141.tif 000002
【特許請求の範囲】
【請求項１】
光源部と、受光デバイスと、導光部とを備えたラインセンス式の指紋読み取り装置であって、
前記導光部は、
指紋情報を入力するライン状の指紋走査ストリップと、
前記指紋走査ストリップからの指紋検出用光を、前記指紋走査ストリップの走査面に平行な光路に変換するプリズム部と、
前記プリズム部からの指紋検出用光を前記受光デバイスに出力する光出力面と、
を備え、
前記光源部は、指紋検出用光を指紋走査ストリップに向けて放出する、
ことを特徴とする指紋読み取り装置。
【請求項２】
光源部と、受光デバイスと、導光部とを備えたラインセンス式の指紋読み取り装置であって、
前記導光部は、
指紋情報を入力するライン状の指紋走査ストリップと、
前記指紋走査ストリップからの指紋検出用光を検出する受光デバイスと、
前記指紋走査ストリップと前記受光デバイスとの間に配置され、前記指紋走査ストリップに平行な少なくと１本の、前記検出用光を前記指紋押接面側に反射させるライン状の反射部と、
を備え、
前記光源部は、指紋検出用光を前記反射部に向けて放出する、
ことを特徴とする指紋読み取り装置。
【請求項３】
前記指紋走査ストリップからの指紋検出用光を、前記指紋走査ストリップの走査面に平行な光路に変換するプリズム部と、
前記プリズム部からの指紋検出用光を前記受光デバイスに出力する光出力面と、
を備えたことを特徴とする請求項２に記載の指紋読み取り装置。
【請求項４】
前記導光部は、前記指紋走査ストリップの走査面に平行な光路に上に狭窄部を有することを特徴とする請求項１または３に記載の指紋読み取り装置。
【請求項５】
前記指紋走査ストリップがカード表面に形成され、前記指紋走査ストリップの走査面に平行な光路がカード肉厚内に成形されていることを特徴とする請求項１から４の何れかに記載の指紋読み取り装置。
【請求項６】
光源部と、受光デバイスと、導光部とを備えたエリアセンス式の指紋読み取り装置であって、
前記導光部は、
指紋押接面と、
前記指紋押接面からの指紋検出用光を検出する受光デバイスと、
前記指紋押接面と、前記受光デバイスとの間に配置された反射面と、
を備え、
前記反射面は、合成樹脂板またはガラス板の前記受光デバイス側の面に形成された溝状のドットパターン、または、連続あるいは非連続の溝状のラインパターンからなり、前記反射面に平行な検出用光を前記指紋押接面側にのみ反射させる形状をなすことを特徴とする指紋読み取り装置。
【請求項７】
請求項１から６の何れかに記載の指紋読み取り装置を備えた指紋照合装置であって、
制御部と、指紋照合処理部と、指紋登録部とを有し、
前記指紋照合処理部は、前記受光デバイスにより検出した指紋と、前記指紋登録部に登録した指紋との比較を行いこれらの指紋を照合することを特徴とする指紋照合装置。
【請求項８】
距離を隔てて配置された２つのラインセンス式の装置を用いた指紋照合装置であって、
一方の装置は指紋の照合を行い、他方の装置は生体検出を行うことを特徴とする指紋照合装置。
【請求項９】
距離を隔てて配置された２つのラインセンス式の指紋読み取り装置を用いた指紋照合装置であって、
相関演算部と、相関登録部と、指紋照合処理部とを有し、
前記相関演算部は、前記２つの指紋読み取り装置による同時の読み取り情報について、所定の相関を演算し、
前記相関登録部は、所定の指紋について前記２つの指紋読み取り装置による同時の読み取り情報についての前記所定の相関の演算結果を登録し、
前記指紋照合処理部は、前記相関演算部により演算した相関と、前記相関登録部に登録されている相関との比較を行うことで指紋の照合を行うことを特徴とする指紋照合装置。
【請求項１０】
請求項７から９の何れかに記載の指紋照合装置が搭載された有価カード。
【請求項１１】
前記制御部は、前記指紋照合処理部が、前記受光デバイスにより検出した指紋と前記指紋登録部に登録した指紋とが一致したと判断したときにのみ、前記有価カードの取引機能を有効にすることを特徴とする請求項１０に記載の有価カード。
【発明の詳細な説明】
【技術分野】
【０００１】
本発明は、薄型の光学式の指紋読み取り装置、指紋照合装置および指紋照合装置付き有価カードに関する。
【背景技術】
【０００２】
従来、指紋照合装置は光学式のものが主流であり、たとえば携帯型電話機には、光学式の指紋照合装置が搭載されることがある。ところが、光学式の指紋照合装置は、光学系（特にプリズム）部分が厚くなる。このため、光学式の指紋照合装置は、クレジットカードには搭載できないと考えられており、最近では、光学式の指紋センサに代えて、半導体感圧センサ、半導体静電容量センサが搭載されたクレジットカード等も開発されるようになっている。
【発明の開示】
【発明が解決しようとする課題】
【０００３】
しかし、半導体感圧センサ、半導体静電容量センサは、指油、水分等により検出精度が低下するし、メンテナンスに手間がかかり寿命も短くなる傾向がある。
本発明は、極薄型光学式の指紋読み取り装置、指紋照合装置、有価カード（クレジットカード、キャッシュカード等）を提供することを目的とする。
【課題を解決するための手段】
【０００４】
本発明の指紋読み取り装置（第１発明）は、光源部と、受光デバイスと、導光部とを備えたラインセンス式の装置であって、
前記導光部は、
指紋情報を入力するライン状の指紋走査ストリップと、
前記指紋走査ストリップからの指紋検出用光を、前記指紋走査ストリップの走査面に平行な光路に変換するプリズム部と、
前記プリズム部からの指紋検出用光を前記受光デバイスに出力する光出力面と、
を備え、
前記光源部は、指紋検出用光を指紋走査ストリップに向けて放出する、
ことを特徴とする。
【０００５】
本発明の指紋読み取り装置（第２発明）は、光源部と、受光デバイスと、導光部とを備えたラインセンス式の装置であって、
前記導光部は、
指紋情報を入力するライン状の指紋走査ストリップと、
前記指紋走査ストリップからの指紋検出用光を検出する受光デバイスと、
前記指紋走査ストリップと前記受光デバイスとの間に配置され、前記指紋走査ストリップに平行な少なくと１本の、前記検出用光を前記指紋押接面側に反射させるライン状の反射部と、
前記光源部は、指紋検出用光を前記反射部に向けて放出する、
ことを特徴とする。
【０００６】
第２発明の指紋読み取り装置は、前記指紋走査ストリップからの指紋検出用光を、前記指紋走査ストリップの走査面に平行な光路に変換するプリズム部と、前記プリズム部からの指紋検出用光を前記受光デバイスに出力する光出力面とを備えることができる。
【０００７】
第１および第２発明の指紋読み取り装置は、前記導光部が、前記光路上（通常は、指紋走査ストリップの走査面に平行な光路上）に狭窄部を有することができる。
【０００８】
第１および第２発明の指紋読み取り装置は、前記指紋走査ストリップがカード表面に形成され、前記指紋走査ストリップの走査面に平行な光路がカード肉厚内に成形されるように構成できる。
【０００９】
第１および第２発明の指紋読取り装置の導光部では、前記指紋走査ストリップからの指紋検出用光を適宜の個所で反射させて受光デバイスに集光させるように構成できる。
【００１０】
前記プリズム部は、指紋検出用光を全反射させる三角プリズムの形状に形成することができる。また、指紋検出用光の反射面が全反射しないときは、反射面にアルミニウム等を形成するようにもできる。
【００１１】
本発明の指紋読み取り装置（第３発明）は、光源部と、受光デバイスと、導光部とを備えたエリアセンス式の装置であって、
指紋押接面と、
前記指紋押接面からの指紋検出用光を検出する受光デバイスと、
前記検出面と、前記受光デバイスとの間に配置された反射面と、
を備えた指紋読み取り装置であって、
前記反射面は、合成樹脂板またはガラス板の前記受光デバイス側の面に形成された溝状のドットパターン、または、連続あるいは非連続の溝状のラインパターンからなり、前記反射面に平行な検出用光を前記指紋押接面側にのみ反射させる形状をなすことを特徴とする。
【００１２】
本発明の指紋照合装置（第４発明）は、第１から第３発明の指紋読み取り装置を備えた装置であって、制御部と、指紋照合処理部と、指紋登録部とを有し、前記指紋照合処理部は、前記受光デバイスにより検出した指紋と、前記指紋登録部に登録した指紋との比較を行いこれらの指紋を照合することを特徴とする。
【００１３】
本発明の指紋照合装置（第５発明）は、距離を隔てて配置された２つのラインセンス式の装置を用いた指紋照合装置であって、
一方の装置は指紋の照合を行い、他方の装置は生体検出を行うことを特徴とする。
【００１４】
本発明の指紋照合装置（第６発明）は、距離を隔てて配置された２つのラインセンス式の装置であって、
相関演算部と、相関登録部と、指紋照合処理部とを有し、
前記相関演算部は、前記２つの指紋読み取り装置による同時の読み取り情報について、所定の相関を演算し、
前記相関登録部は、所定の指紋について前記２つの指紋読み取り装置による同時の読み取り情報についての前記所定の相関の演算結果を登録し、
前記指紋照合処理部は、前記相関演算部により演算した相関と、前記相関登録部に登録されている相関との比較を行うことで指紋の照合を行うことを特徴とする。
【００１５】
本発明の有価カード（第７発明）は、上記の指紋照合装置が搭載されてうることを特徴とする。
【００１６】
第７発明の有価カードでは、前記制御部は、前記指紋照合処理部が、前記受光デバイスにより検出した指紋と前記指紋登録部に登録した指紋とが一致したと判断したときにのみ、前記有価カードの取引機能を有効にすることができる。
【００１７】
第１から第３発明の指紋読み取り装置、第４から第６発明の指紋照合装置は、有価カードのみならず、携帯型電話機、携帯型コンピュータ等、種々の装置への搭載が可能である。
【００１８】
第７発明の有価カードは、クレジットカード、キャッシュカード、テレフォンカード、鉄道乗車用カードに応用できる。第７発明の有価カードの厚みは、たとえば０．８ｍｍ程度にすることができる。この場合の前記導光部の厚みはたとえば０．７ｍｍ程度に構成できる。導光部における導光路の厚みは、０．２ｍｍ程度にすることは既存の技術で実現可能である。
【００１９】
本発明の指紋照合装置付き有価カードでは、前記導光部を、たとえば、透明アクリル板等の透明合成樹脂板から構成することができ、この場合には、前記アクリル板の表面は、前記検出用光反射部の領域を除いて、遮光材により被覆することが好ましい。なお、前記導光部は射出成形・プレス成形により形成することができる。
【発明の効果】
【００２０】
本発明の指紋読み取り装置、指紋照合装置、および指紋照合装置付き有価カードによれば厚みを極薄とすることできる。
【発明を実施するための最良の形態】
【００２１】
図１は第１発明の指紋読み取り装置の一実施形態を示す図であり、（Ａ）は平面図、（Ｂ）は（Ａ）におけるｘ１方向側面図、（Ｃ）は（Ａ）におけるｘ２方向側面図である。図３（Ａ）に導光部１１３の斜視図を参考に示す。
図１において指紋読み取り装置１１は、ラインセンス式の装置であり、光源部１１１と、受光デバイス１１２と、導光部１１３とを備えている。
【００２２】
導光部１１３は、指紋情報を入力するライン状の指紋走査ストリップ１１３１と、指紋走査ストリップ１１３１からの指紋検出用光を、指紋走査ストリップ１１３１の走査面に平行な光路に変換するプリズム部１１３２と、プリズム部１１３２からの指紋検出用光を受光デバイス１１２に出力する光出力面１１３３とを備えている。
【００２３】
光源部１１１と導光部１１３は、本実施形態ではアクリルからなり、光源部１１１は光入力面１１１１を有し、導光部１１３は、主導光部１１３４を有している。
【００２４】
光入力面１１１１は、導光部１１の端部に形成され、ＬＥＤ，ＬＤ等の発光素子１１４からの光を入力することができる。
【００２５】
光源部１１１は、光入力面１１１１から入力された光を指紋検出用光として指紋走査ストリップ１１３１に向けて放出する。図１では光源部１１１は、底面に反射面Ｓを備えた庇状の細長ブロックにより形成されており、一方端の断面が他方端の断面よりも面積が小さくなるように形成されている。光源部１１１の断面積が小さい側の端面が光入力面１１１１であり、光入力面１１１１からの光は、反射面Ｓによりアクリル内部で反射されて、指紋走査ストリップ１１３１に向けて放射される。
【００２６】
プリズム部１１３は、指紋走査ストリップ１１３１からの反射光（指紋検出用光ＤＬ：図１（Ａ）参照）を、指紋走査ストリップ１１３１に平行な方向に変換するミラー面Ｍ１を備えている。このミラー面Ｍ１で反射された指紋検出用光ＤＬは、主導光部１１３４に導かれる。
【００２７】
主導光部１１３４には、ミラーＭ２が形成されており、指紋検出用光ＤＬはミラーＭ２で光出力面１１３３に向けて反射される。
【００２８】
光出力面１１３３は、導光部１１３の端面の一部であり、光出力面１１３３から出力された指紋検出用光ＤＬは、受光デバイス１１２に入力される。なお、受光デバイス１１２は、ＣＣＤまたはＣＭＯＳからなる。また、受光デバイス１１２として、図３（Ｂ）に示すようにたとえば３段ないし５段の、たとえば４００ｄｐｉ相当の複数の画素列を採用できる。
【００２９】
図２は図１の指紋読み取り装置１１を用いた指紋照合装置を搭載したクレジットカードを示す全体構成図である。
図２において、クレジットカード（本発明の「有価カード」）１は、いわゆるＩＣカードであり、指紋読み取り装置１１と、制御回路１２と、電源端子１３と、感圧スイッチ１４と、電源モジュール（二次電池１５１とキャパシタ１５２とからなる）１５とマイクロ波アンテナ１６を備えている。
【００３０】
図３は、制御回路１２を示す機能ブロック図である。図４において制御回路１２は、主制御部１２１と、電源制御部１２２と、指紋照合処理部１２３と、指紋登録部１２４とを備えている。
【００３１】
主制御部１２１は、感圧スイッチ１４からの信号によりクレジットカード１の電源をオンすることできる。また、主制御部１２１は、指紋照合処理部１２３による指紋照合結果がセーフのときは、マイクロ波アンテナ１６を介して図示しないクレジットカード読み取り機と情報のやり取りを行なうことができる。
【００３２】
電源制御部１２２は、電源モジュール１５から二次電池１５１，キャパシタ１５２の充電状態を検出するとともに、電源端子１３から供給される電力により、二次電池１５１，キャパシタ１５２を充電する。
なお、本実施形態では、クレジットカード１への充電を、マイクロ波アンテナ１６を介して行なうようにもできる。また、クレジットカード１に、二次電池のみを搭載するようにしてもよい。
【００３３】
指紋照合処理部１２３は、指紋照合用ＤＳＰにより構成でき、受光デバイス１１２からの検出信号についてフィルタ処理等を行い指紋情報を取得することができ、指紋登録部１２４に登録されている指紋と照合することができる。
【００３４】
図４は本発明のクレジットカード１の外観図である。指紋走査ストリップ１１３１は、クレジットカード表面に形成されている。
ユーザは、感圧スイッチ１４を動作させることにより、図３の制御回路１２を駆動することができる。指紋走査ストリップ１１３１の上に指の指紋面をすべらせることにより指紋スキャンが行なわれる。
【００３５】
なお、図５（Ａ），（Ｂ）に示すように、導光部１１３にミラーＭ２を設けずに、受光デバイス１１２を反射面Ｍ１からの反射光経路上に配置することもできる。
また、指紋走査ストリップ１１３１の表面を凸状（半円柱状、蒲鉾状）に形成することもできる。
【００３６】
図６は、本発明のラインセンス式の指紋読み取り装置の他の実施形態を示す図であり、（Ａ）はマイクロレンズアレイＭＬＡを光路中に設けた指紋読み取り装置１１ａを示す図、（Ｂ）は指紋走査ストリップ１１３１の走査面に平行な光路上に狭窄部Ｎを設けた指紋読み取り装置１１ｂを示す図である。なお、指紋走査ストリップ１１３１から狭窄部Ｎまでの工学距離Ｌ、狭窄部Ｎからの受光デバイス１１２までの距離Ｌ′は、たとえば、指紋走査ストリップ１１３１の幅等によって、光源の波長等により決定することができる。
【００３７】
図７は、本発明のラインセンス式の指紋読み取り装置のさらに他の実施形態を示す図であり、（Ａ）はマイクロレンズアレイＭＬＡを光路中に設けた全反射式の指紋読み取り装置１１ｃを示す図、（Ｂ）は指紋走査ストリップ１１３１の走査面に平行な光路中にマイクロレンズアレイＭＬＡを設けない指紋読み取り装置１１ｄを示す図である。なお、図７（Ｂ）の指紋読み取り装置１１ｄでも光路中に図６（Ｂ）に示したような狭窄部を設けることができる。
【００３８】
図８は、光源部１１１が指紋走査ストリップ１１３１の真下に位置した指紋読み取り装置の実施形態を示す図である。指紋読み取り装置１１ｅは、光源部１１１と、受光デバイス１１２と、導光部１１３とを備えている。
【００３９】
導光部１１３は、受光デバイス１１２と、反射部ＲＧとを備えている。
受光デバイス１１２は、指紋情報を入力するライン状の指紋走査ストリップ１１３１と、指紋走査ストリップ１１３１からの指紋検出用光を検出する。また、反射部ＲＧは、指紋走査ストリップ１１３１と受光デバイス１１２との間に配置され、指紋走査ストリップ１１３１に平行な少なくと１本の、検出用光を指紋押接面側に反射させる反射部ＲＧを備えている。光源部１１１は、指紋検出用光を反射部ＲＧに向けて放出する、
【００４０】
本発明では、受光デバイス１１２は少なくとも１列（図８では複数列、具体的には４列形成されているが、２、３列、５列以上であってもよい）形成されている。あるタイミングにおける検出画像には反射部ＲＧにさえぎられた隠れて検出できない部分が生じるが、当該タイミングに近い他のタイミングにおける検出画像では、前記あるタイミングでは検出できない部分が検出される。したがって、前記あるタイミングにおける画像と前記他のタイミングにおける画像とを重ねあわせることで、完全な指紋情報を検出することができる。たとえば、第1のタイミングにおけるＭ列における検出画像（ライン画像）と、第２のタイミングにおけるＭ＋１列の検出画像（ライン画像）とが同じであると判断される場合には、第1タイミングと第2のタイミングの間に位置する第３のタイミングにおけるＭ列の検出画像（ライン画像）を当該画素列の次の画素列とすることができる。
【００４１】
指紋スキャンが行なわれると、指紋照合処理部１２３が、受光デバイス１１２からの指紋検出信号を受け取り、指紋パターン（指紋パターンを意味する符号列であってもよい）を生成し、登録部１２４に登録されている少なくとも１つの指紋パターンと比較する。本実施形態のクレジットカード１では、検出した指紋情報は、１つまたはせいぜい２つ〜５つ程度の指紋パターンと照合すればよいので、さほどの精度は要求されず、たとえば上記符号列は１０〜１５ビット程度あれば十分である。
【００４２】
図９〜図１５は、本発明の複数の指紋読み取り装置を持つ指紋読み取り装置を用いた指紋照合装置を搭載したクレジットカードを示す図である。
図９において、クレジットカード２は、ＩＣカードであり、第１指紋読み取り装置２１Ａおよび第２指紋読み取り装置２１Ｂと、制御回路２２と、電源端子２３と、感圧スイッチ２４と、電源モジュール（二次電池２５１とキャパシタ２５２とからなる）２５とマイクロ波アンテナ２６を備えている。第１指紋読み取り装置２１Ａおよび第２指紋読み取り装置２１Ｂの構成は、図５（Ａ），（Ｂ）に示したものと同じものを使用している。
【００４３】
図１０は、制御回路２２の一例を示す機能ブロック図である。
図１０において、制御回路２２は、相関演算部２２１と、相関登録部２２２と、照合処理部２２３とを有している。
【００４４】
相関演算部２２１は、指紋読み取り装置２１Ａ，２１Ｂの出力情報について、所定の相関を演算する。本実施形態では、この相関を、第１指紋読み取り装置２１Ａの出力値と、第２指紋読み取り装置２１Ｂとの出力値の差分とする。
相関登録部２２２には、クレジットカードの所有者等の指紋について指紋読み取り装置２１Ａ，２１Ｂによる同時の読み取り情報についての相関の演算結果が登録されている。
【００４５】
照合処理部２２３は、相関演算部２２１により演算した相関と、相関登録部２２２に登録されている相関との１ラインデータ単位（または、数本ライン単位）での比較を行うことで指紋の照合を行うことができる。したがって、クレジットカードに搭載するメモリ容量を小さくでき、計算量も少なくすることができる。
この相関は、たとえば、両検出情報（同時の読み取り情報）の差分とすることができる。
【００４６】
図１１は、照合処理部２２３の他の例を示す機能ブロック図である。図１１では照合処理部２２３は、第１メモリ２２３１，第２メモリ２２３２，第３メモリ２２３３と、解析部２２３４とからなる。
【００４７】
相関演算部２２１は、第１指紋読み取り装置２１Ａの出力情報と、第２指紋読み取り装置２１Ｂの出力情報との差分を演算する。
第１メモリ２２３１には第１指紋読み取り装置２１Ａの出力情報が登録され、第２メモリ２２３２には第２指紋読み取り装置２１Ｂの出力情報が登録され、第３メモリ２２３２に、相関演算部２２１の出力情報（差分情報）が登録される。
【００４８】
図１２（Ａ）に指紋読み取り装置２１Ａが第ｎ−１画素、第ｎ画素、第ｎ＋１画素について第１メモリ２２３１に出力するデータを、図１２（Ｂ）に指紋読み取り装置２１Ｂが第ｎ−１画素、第ｎ画素、第ｎ＋１画素について第２メモリ２２３２に出力するデータを示す。また、図１２（Ｃ）に相関演算部２２１が第ｎ−１画素、第ｎ画素、第ｎ＋１画素について第３メモリ２２３２に出力するデータを示す。
【００４９】
図１３は、図１１の照合処理部２２３の処理を示すフローチャートである。図１３では、第１メモリ２２３１，第２メモリ２２３２から情報を取得し（Ｓ１０１）、走査方向検出および走査速度検出を行う。図１４（Ａ）は指紋読み取り装置２１Ａが第ｎ−１画素、第ｎ画素、第ｎ＋１画素について第１メモリ２２３１に出力するデータを示し、図１４（Ｂ）は指紋読み取り装置２１Ｂが第ｍ−１画素、第ｍ画素、第ｍ＋１画素について第２メモリ２２３２に出力するデータを示している。
【００５０】
指紋が斜め方向にスキャンされた場合、図１４（Ａ），（Ｂ）に示すように指紋読み取り装置２１Ａと２１Ｂには、ずれた画素に同一（あるいは実質上同一）の検出パターンが出現する。したがって、走査方向および走査速度を検出することができる。
【００５１】
なお、上記実施形態では、相関演算部２２１は、指紋読み取り装置２１Ａ，２１Ｂの出力情報の所定の相関を、第１指紋読み取り装置２１Ａの出力値と、第２指紋読み取り装置２１Ｂとの出力値の差分としたが、各出力値（ラインデータあるいはラインデータにより構築された二次元画像データ）にフィルタ処理を施し（たとえば、フーリエ変換により低周波成分のみを除去し）、この処理後のデータを比較するようにもできる。この場合、相関登録部には、比較対象となるオリジナルの指紋データのフィルタ処理後のデータを格納してしておくことができる。
【００５２】
図１５は、本発明のエリアセンス式の指紋読み取り装置の実施形態を示す説明図である。図１５において、指紋読み取り装置３１は、光源部３１１と、受光デバイス３１２と、導光部３１３とを備えている。
【００５３】
導光部３１３は、指紋押接面３１３１と、指紋押接面３１３１からの指紋検出用光を検出する受光デバイス３１２と、指紋押接面３１３１と、受光デバイス３１２との間に配置された反射面Ｓ１とを備えている。
【００５４】
反射面Ｓ１は、合成樹脂板またはガラス板の前記受光デバイス側の面に形成されている。反射面Ｓ１には、溝状のドットパターン、または、連続あるいは非連続の溝状のラインパターンからなり、当該パターンは反射面Ｓ１に平行な検出用光を指紋押接面３１３１側にのみ反射させる形状をなす。
【００５５】
図１５では光源部３１１は、底面に反射面Ｓ２を備えた庇状の細長ブロックにより形成されており、一方端の断面が他方端の断面よりも面積が小さくなるように形成されている。光源部３１１の断面積が小さい側の端面に光入力面３１１１が形成されている。、光入力面３１１１に入射される発光素子３１４からの指紋検出用光は、反射面Ｓ２によりアクリル内部で上方に反射され、ミラー面Ｍ３により水平方向に変換されて反射面Ｓ１側に向けてさらに反射される。そして、反射面Ｓ１に形成されたパターンにより、指紋押接面３１３１に向けて放射される。指紋押接面３１３１で反射された指紋検出用光は受光デバイス３１２に向けて放出され、受光デバイス３１２による指紋検出が行われる。なお、受光デバイス３１２の受光面と前記パターンとの距離は適宜の大きさに調整することができる。
【００５６】
本発明の指紋照合装置は、距離を隔てて配置された２つのラインセンス式の装置を用いたもので、一方の装置は指紋の照合を行い、他方の装置は生体検出を行うことができる。この場合、生体検出に用いる装置の光源にはＬＥＤ，ＬＥを使用することができる。
【図面の簡単な説明】
【００５７】
【図１】本発明の有価カードの一実施形態を示す全体構成図である。
【図２】図２は導光部の構成図であり、（Ａ）は平面図、（Ｂ）は（Ａ）におけるｘ１方向側面図、（Ｃ）は（Ａ）におけるｘ２方向側面図である。
【図３】（Ａ）は導光部の参考斜視図、（Ｂ）はＣＣＤセンサまたはＣＭＯＳセンサの複数段の画素列を示す図である。
【図４】本発明の有価カード（クレジットカード）の一例を示す外観図である。
【図５】導光部にミラーを設けずに受光デバイスを反射面からの反射光経路上に配置した実施形態を示す図であり、（Ａ）は平面図、（Ｂ）は（Ａ）における側面図である。
【図６】本発明のラインセンス式の指紋読み取り装置の他の実施形態を示す図であり、（Ａ）はマイクロレンズアレイを光路中に設けた指紋読み取り装置を示す図、（Ｂ）は指紋走査ストリップの走査面に平行な光路上に狭窄部を設けた指紋読み取り装置を示す図である。
【図７】本発明のラインセンス式の指紋読み取り装置のさらに他の実施形態を示す図であり、（Ａ）はマイクロレンズアレイを光路中に設けた全反射式の指紋読み取り装置を示す図、（Ｂ）は指紋走査ストリップの走査面に平行な光路中にマイクロレンズアレイを設けない指紋読み取り装置１１ｄを示す図である。
【図８】光源部が指紋走査ストリップの真下に位置した指紋読み取り装置の実施形態を示す図である。
【図９】本発明の有価カード（クレジットカード）の他の例を示す外観図である。
【図１０】制御回路の一例を示す機能ブロック図である。
【図１１】照合処理部の他の例を示す機能ブロック図である。
【図１２】（Ａ）は指紋読み取り装置が第１メモリに出力するデータを示す図、（Ｂ）は指紋読み取り装置が第２メモリに出力するデータを示す図、（Ｃ）は相関演算部が第３メモリに出力するデータを示す図である。
【図１３】図１１の照合処理部の処理を示すフローチャートである。
【図１４】（Ａ），（Ｂ）は、指紋が斜め方向にスキャンされた場合の検出パターンを示す図である。
【図１５】本発明のエリアセンス式の指紋読み取り装置の実施形態を示す説明図である。
【符号の説明】
【００５８】
１，２  クレジットカード
１１，１１ａ，１１ｂ，１１ｃ，２１Ａ，２１Ｂ，３１  指紋読み取り装置
１２，２２  制御回路
１３，２３  電源端子
１４，２４  感圧スイッチ
１５，２５  電源モジュール
１６  マイクロ波アンテナ
１１１，３１１  光源部
１１２，３１２  受光デバイス
１１３  導光部
１１４，３１４  発光素子
１２１  主制御部
１２２  電源制御部
１２３  指紋照合処理部
１２４  指紋登録部
１５１，２５１  二次電池
１５２，２５２  キャパシタ
２２１  相関演算部
２２２  相関登録部
２２３  照合処理部
３１３  導光部
１１１１，３１１１  光入力面
１１３１  指紋走査ストリップ
１１３２  プリズム
１１３３  光出力面
１１３４  主導光部
２２３１  第１メモリ
２２３２  第２メモリ
２２３３  第３メモリ
２２３４  解析部
３１３１  指紋押接面
Ｓ１，Ｓ２，Ｓ３  反射面
Ｎ  狭窄部
Ｍ１，Ｍ２，Ｍ３  ミラー面
ＲＧ  反射部
【図１】
2005209141.tif 000003
【図２】
2005209141.tif 000004
【図３】
2005209141.tif 000005
【図４】
2005209141.tif 000006
【図５】
2005209141.tif 000007
【図６】
2005209141.tif 000008
【図７】
2005209141.tif 000009
【図９】
2005209141.tif 000010
【図１０】
2005209141.tif 000011
【図１１】
2005209141.tif 000012
【図１２】
2005209141.tif 000013
【図１３】
2005209141.tif 000014
【図１４】
2005209141.tif 000015
【図１５】
2005209141.tif 000016
【図８】
2005209141.tif 000017